(57)【特許請求の範囲】
【請求項１】
多重化された複数の放送番組が、ツリー状に階層化した複数の分類要素を用いて分類されて放送されるディジタル放送であって、且つ放送中の番組に係る分類要素の分類要素識別子と該分類要素を示すラベルとの対応データが伝送されるディジタル放送を受信するディジタル放送受信装置において、受信中の番組に係る分類要素のラベルを表示する表示手段と、該表示手段でラベルを表示する際の表示階層を前記ツリー状階層化を構成する複数の階層から一つ指定する表示階層指定手段と、受信信号から前記対応データを検出する対応データ検出手段と、受信中の番組に係る分類要素のラベルを前記対応データから検出するラベル検出手段とを備え、該ラベル検出手段は、前記表示階層指定手段で指定された表示階層に属する分類要素で且つ受信中の番組に係る前記分類要素のラベルを検出し、検出できなかったときには、前記表示階層より上位の階層に属する分類要素で且つ受信中の番組に係る前記分類要素のラベルを検出し、前記表示手段は、前記ラベル検出手段によって検出されたラベルを表示することを特徴とするディジタル放送受信装置。
【請求項２】
前記ディジタル放送は、アンサンブルごとに中心周波数が異なり、前記各アンサンブルで複数のサービスを伝送し、前記各サービスで複数のサービスコンポーネントを伝送する放送であって、前記ツリー状階層化は、複数の前記アンサンブルが上位階層に属し、複数の前記サービスが中位階層に属し、複数の前記サービスコンポーネントが下位階層に属する構造であり、前記表示階層指定手段が表示階層として下位階層を指定し且つ前記ラベル検出手段で受信中のサービスコンポーネントのラベルを下位階層で検出できなかったときに、前記ラベル検出手段は、受信中のサービスコンポーネントが属する中位階層のサービス、又は上位階層のアンサンブルのラベルを検出し、該検出したラベルを前記表示手段で表示することを特徴とする請求項１記載のディジタル放送受信装置。
【請求項３】
前記ディジタル放送はＤＡＢ放送であり、前記対応データは、ＤＡＢ信号の高速情報チャンネル（ＦＩＣ）で伝送される高速情報グループの情報のうち、タイプ１で拡張０の情報（ＦＩＧ  １／０）と、タイプ１で拡張１の情報（ＦＩＧ  １／１）と、タイプ１で拡張４の情報（ＦＩＧ  １／４）であることを特徴とする請求項１又は請求項２記載のディジタル放送受信装置。
【請求項４】
前記ラベル検出手段では前記表示階層指定手段で指定された表示階層に属する分類要素で且つ受信中の番組に係る前記分類要素のラベルを検出し、検出できなかったときに、前記表示階層より上位の階層に属する分類要素のラベルを前記表示手段で表示するか否かを選択可能としたことを特徴とする請求項１乃至請求項３のいずれかに記載のディジタル放送受信装置。
【請求項５】
多重化された複数の放送番組が、ツリー状に階層化した複数の分類要素を用いて分類されて放送されるディジタル放送であって、且つ放送中の番組に係る分類要素の分類要素識別子と該分類要素を示すラベルとの対応データが伝送されるディジタル放送を受信するディジタル放送受信装置のラベル表示方法において、受信中の番組に係る分類要素のラベルを表示する表示ステップと、該表示ステップでラベルを表示する際の表示階層を前記ツリー状階層化を構成する複数の階層から一つ指定する表示階層指定ステップと、受信信号から前記対応データを検出する対応データ検出ステップと、受信中の番組に係る分類要素のラベルを前記対応データから検出するラベル検出ステップとからなり、該ラベル検出ステップは、前記表示階層指定ステップで指定された表示階層に属する分類要素で且つ受信中の番組に係る前記分類要素のラベルを検出し、検出できなかったときには、前記表示階層より上位の階層に属する分類要素で且つ受信中の番組に係る前記分類要素のラベルを検出し、前記表示ステップは、前記ラベル検出ステップで検出したラベルを表示することを特徴とするディジタル放送受信装置のラベル表示方法。
【請求項６】
前記ディジタル放送は、アンサンブルごとに中心周波数が異なり、前記各アンサンブルで複数のサービスを伝送し、前記各サービスで複数のサービスコンポーネントを伝送する放送であって、前記ツリー状階層化は、複数の前記アンサンブルが上位階層に属し、複数の前記サービスが中位階層に属し、複数の前記サービスコンポーネントが下位階層に属する構造であり、前記表示階層指定ステップが表示階層として下位階層を指定し且つ前記ラベル検出ステップで受信中のサービスコンポーネントのラベルを下位階層で検出できなかったときに、前記ラベル検出ステップは受信中のサービスコンポーネントが属する中位階層のサービス、又は上位階層のアンサンブルのラベルを検出し、該検出したラベルを表示ステップで表示することを特徴とする請求項５記載のディジタル放送受信装置のラベル表示方法。
【請求項７】
前記ディジタル放送はＤＡＢ放送であり、前記対応データは、ＤＡＢ信号の高速情報チャンネル（ＦＩＣ）で伝送される高速情報グループの情報のうち、タイプ１で拡張０の情報（ＦＩＧ  １／０）と、タイプ１で拡張１の情報（ＦＩＧ  １／１）と、タイプ１で拡張４の情報（ＦＩＧ  １／４）であることを特徴とする請求項５又は請求項６記載のディジタル放送受信装置のラベル表示方法。
【請求項８】
前記ラベル検出ステップでは前記表示階層指定ステップで指定された表示階層に属する分類要素で且つ受信中の番組に係る前記分類要素のラベルを検出し、検出できなかったときに、前記表示階層より上位の階層に属する分類要素のラベルを前記表示ステップで表示するか否かを選択可能としたことを特徴とする請求項５乃至請求項７のいずれかに記載のディジタル放送受信装置のラベル表示方法。
【発明の詳細な説明】
【０００１】
【発明の属する技術分野】
本発明は、例えばＤＡＢ（Ｄｉｇｉｔａｌ Ａｕｄｉｏ Ｂｒｏａｄｃａｓｔｉｎｇ）のようなディジタル放送を受信するディジタル放送受信装置及びそのラベル表示方法に関し、特に受信中（選択中）の番組に係るラベルを表示する表示装置を有するディジタル放送受信装置及びそのラベル表示方法に関する。
【０００２】
【従来の技術】
ＦＭ放送の多局化に伴う混信に起因する音質劣化や、移動中における良質な受信が困難であることに対処し得るラジオ放送形式としてＤＡＢ（Digital Audio Broadcasting）が注目されている。ＤＡＢは、ユーレカ（ＥＵＲＥＫＡ：欧州先端技術開発計画）で開発が進められ、すでに、欧州規格（Ｅｕｒｅｋａ １４７）に準拠したＤＡＢシステムが実用化されている。変調方式としてπ／４シフトＤＱＰＳＫ−ＯＦＤＭ（Differential Quadrature Phase Shift Keying−Orthogonal Frequency Division Multiplex：直交周波数分割多重）を採用して、フェージングやマルチパスの影響を受け難いという特徴を備えると共に、音声符号化には高能率音声符号化のＭＰＥＧレイヤーIIを用い、１．５ＭＨｚの伝送帯域幅で多数のステレオ放送とデータ放送を可能にしている。
【０００３】
一般的に、ディジタル放送では多数の番組が多重化されて送信されることが多く、ＤＡＢ放送においても、多くの番組が多重化されて同時に送信されている。図４はＤＡＢのサービス構造を例示する図である。図４において、アンサンブル（Ｅｎｓｅｍｂｌｅ）はキャリアの中心周波数が同一の電波で伝送されるサービスの単位であり、一つのアンサンブルには複数のサービス（Ｓｅｒｖｉｃｅ）が属し、前記サービスには、複数のサービスコンポーネント（Ｓｅｒｖｉｃｅ  ｃｏｍｐｏｎｅｎｔ）が属している。このようにＤＡＢのサービス構造は、基本的に３層のツリー状階層構造となっており、上位階層にアンサンブル、中位階層にサービス、下位階層にサービスコンポーネントが配置されている。
【０００４】
アンサンブルラベルがＤＡＢアンサンブル１（ＤＡＢ ＥＮＳＥＭＢＬＥ ＯＮＥ）であるアンサンブル（Ｅｎｓｅｍｂｌｅ）は、サービスラベルがアルファ１ラジオ（ＡＬＰＨＡ１ ＲＡＤＩＯ）、ベータラジオ（ＢＥＴＡ ＲＡＤＩＯ）、アルファ２ラジオ（ＡＬＰＨＡ２ ＲＡＤＩＯ）等の複数（例えば６個）のサービス（Ｓｅｒｖｉｃｅ）を含んでいる。ユーザは、選択されたサービスをＤＡＢ受信装置１０で受信することになる。
【０００５】
アルファ１ラジオは、主（ｐｒｉｍａｒｙ）のサービスコンポーネント（Ｓｅｒｖｉｃｅｃｏｍｐｏｎｅｎｔｓ）を１個、副（ｓｅｃｏｎｄａｒｙ）のサービスコンポーネントを２個、それぞれ有している。主のサービスコンポーネントはオーディオ（Ａｕｄｉｏ）であり、副のサービスコンポーネントは交通メッセージチャネル：ＴＭＣ（Ｔｒａｆｆｉｃ Ｍｅｓｓａｇｅ Ｃｈａｎｅｌ）とサービス情報：ＳＩ（Ｓｅｒｖｉｃｅ Ｉｎｆｏｒｍａｔｉｏｎ）である。オーディオ成分とＳＩはＭＳＣ内の別々のサブチャネル（ＳｕｂＣｈ）で伝送され、ＴＭＣはＦＩＣ内のＦＩＤＣ（Ｆａｓｔ Ｉｎｆｏｒｍａｔｉｏｎ Ｄａｔａ Ｃｈａｎｎｅｌ）で伝送される。
【０００６】
ベータラジオはサービスコンポーネントを２個もつ。オーディオと二次オーディオ（ｓｅｃｏｎｄａｒｙ ａｕｄｉｏ ｃｏｍｐｏｎｅｎｔ）であり、どちらもＭＳＣのサブチャネルで伝送される。
アルファ２ラジオは、アルファ１ラジオと同一のＴＭＣ及びＳＩをもち、スイッチの切替によってはオーディオもアルファ１ラジオと同じになることがある。
【０００７】
前記したようにＤＡＢ放送では非常に多くの放送番組が多重化されて送信されてくるが、ユーザがこのようなＤＡＢ放送における受信番組の切り替えをする場合には、利用者による所定の操作キーの操作に応じて行われる。例えば、利用者によって「アップ」キーや「ダウン」キーが押下されるごとに、各アンサンブルに多重化された各種の番組（サービス）が順に選択され、各サービスコンポーネントが順次選択される。
【０００８】
また、ＤＡＢ放送では、前記した各種サービス用のデータに多重化して、各サービスに付された名称（ラベル）を表示する機能を実現するためのラベルデータが送信されている。該ラベルを用いることによって、ＤＡＢ受信装置はその表示手段に受信中（選択中）のサービス名称を示す文字データを表示することができる。このようにＤＡＢ受信装置では受信中のサービスの名称を示す文字データを表示しており、利用者は、この表示を見ることによって受信中のサービスの内容を認識し、所望のサービスであるか否かを判断することができる。
【０００９】
前記したラベル表示機能を実現するために、ＤＡＢでは、アンサンブル識別子とそのアンサンブルラベルとの対応データがＦＩＧ  １／０で伝送され、サービス識別子とそのサービスラベルとの対応データがＦＩＧ  １／１で伝送され、サービスコンポーネントとそのサービスコンポーネントラベルとの対応データがＦＩＧ  １／４で伝送される。各ＦＩＧについては後述するが、ＤＡＢ信号の高速情報チャンネル（ＦＩＣ）で伝送される。なお、受信中の番組に係るアンサンブル識別子（ＥＩｄ）とそのラベル、サービス識別子（ＳＩｄ）とそのラベル、サービスコンポーネント識別子（ＳＣＩｄＳ）とそのラベルなどデータは、ユーザが番組を選択したときに、受信信号から分離され、ＤＡＢ受信装置のメモリに格納される。
【００１０】
図８は従来例におけるラベル表示処理のフローチャートを示す図である。図８において、ユーザはラベル表示を指示したときに、まずラベルをどの階層で表示するかを入力する。即ち受信中の番組に係るラベルを表示させるに際して、表示階層（表示モード）を上位階層であるアンサンブルの階層とするか、中位階層であるサービスの階層とするか、下位階層であるサービスコンポーネントの階層とするかを選択する。そして、ステップＳ５１では、表示モードはアンサンブルラベルか？、と問われ、ユーザが表示階層としてアンサンブルの階層を選択している場合はＹｅｓでステップＳ５３へ進み、ＮｏであればステップＳ５９へ進む。
【００１１】
ステップＳ５３では、アンサンブルラベルが有るか？、と問われ、受信中のアンサンブルのＩＤとそのラベルが、メモリに格納されているＦＩＧ  １／０のデータから検出できた場合はＹｅｓでステップＳ５５へ進み、ＮｏであればステップＳ５７へ進む。ステップＳ５５では、検出したアンサンブルラベルを表示手段で表示する。ステップＳ５７では、アンサンブルラベルがないことを表示手段で表示する。ステップＳ５７では何も表示しないようにしてもよい。
【００１２】
ステップＳ５９では、表示モードはサービスラベルか？、と問われ、ユーザが表示階層としてサービスの階層を選択している場合はＹｅｓでステップＳ６１へ進み、ＮｏであればステップＳ６７へ進む。ステップＳ６１では、サービスラベルが有り？、と問われ、受信中のサービスＩＤ（ＳＩｄ）とそのラベルが、メモリに格納されているＦＩＧ  １／１のデータから検出できた場合はＹｅｓでステップＳ６３へ進み、ＮｏであればステップＳ６５へ進む。ステップＳ６３では、検出したサービスラベルを表示手段で表示する。ステップＳ６５では、サービスラベルがないことを表示手段で表示する。ステップＳ６５では何も表示しないようにしても良い。
【００１３】
ステップＳ６７では、サービスコンポーネントラベル有り？、と問われ、受信中のサービスコンポーネントＩＤ（ＳＣＩｄＳ）とそのラベルが、メモリに格納されているＦＩＧ  １／４のデータから検出できた場合はＹｅｓでステップＳ６９へ進み、ＮｏであればステップＳ７１へ進む。ステップＳ６９では、検出したサービスコンポーネントラベルを表示手段で表示する。ステップＳ７１では、サービスコンポーネントラベルがないことを表示手段で表示する。ステップＳ７１では何も表示しないようにしても良い。
【００１４】
【発明が解決しようとする課題】
図８に示すように、従来のＤＡＢ受信装置におけるラベル表示方法では、ユーザが指定した表示階層のラベルが、送信されてきた対応データ（ＦＩＧ  １／０又はＦＩＧ  １／１又はＦＩＧ  １／４のデータ）で検出できなかった場合は、表示手段にはラベルがないことを表示するか、或いは何も表示しないようにしていた。この場合、ユーザは受信中の番組の名称などを表示内容から全く認識することが出来ないという問題があった。
本発明は上記問題点に鑑みてなされたものであり、その目的は、表示対象のラベルの情報が送信されていない場合にも、受信中の番組に係る何らかのラベルを表示し、受信中の番組がどの分類要素に属しているかを容易に認識できるようにしたディジタル放送受信装置及びそのラベル表示方法を提供することである。
【００１５】
【課題を解決するための手段】
本発明は上記目的を達成するために次のような構成でなされたものである。
第１の発明は、多重化された複数の放送番組が、ツリー状に階層化した複数の分類要素を用いて分類されて放送されるディジタル放送であって、且つ放送中の番組に係る分類要素の分類要素識別子と該分類要素を示すラベルとの対応データが伝送されるディジタル放送を受信するディジタル放送受信装置において、受信中の番組に係る分類要素のラベルを表示する表示手段と、該表示手段でラベルを表示する際の表示階層を前記ツリー状階層化を構成する複数の階層から一つ指定する表示階層指定手段と、受信信号から前記対応データを検出する対応データ検出手段と、受信中の番組に係る分類要素のラベルを前記対応データから検出するラベル検出手段とを備え、該ラベル検出手段は、前記表示階層指定手段で指定された表示階層に属する分類要素で且つ受信中の番組に係る前記分類要素が含まれる分類要素のラベルを検出し、検出できなかったときには、前記表示階層より上位の階層に属する分類要素で且つ受信中の番組に係る前記分類要素が含まれる分類要素のラベルを検出し、該検出したラベルを前記表示手段で表示するようにしたディジタル放送受信装置である。前記した「受信中の番組に係る分類要素」における「受信中の番組」とは、「ユーザにより選択され、出力中の一つの番組」を意味する。
【００１６】
本発明によれば、放送のサービス構造がツリー状に階層化された構造であって、例えば、上位階層にある一つの分類要素に複数の中位階層の分類要素が属し、中位階層にある一つの分類要素に下位階層の複数の分類要素が属するような構造である場合に、下位階層の各分類要素は放送されている放送番組に係るラベルに相当する。そして、受信中の放送番組に係るラベルの表示をユーザが指示したときに、表示対象のラベルの情報が送信されていない場合にも、受信中の番組に係る上位階層のラベルを表示することにより、受信中の番組が属している上位階層の分類要素名をユーザが認識できるようになる。
【００１７】
第２の発明は、第１の発明において、前記ディジタル放送は、アンサンブルごとに中心周波数が異なり、前記各アンサンブルで複数のサービスを伝送し、前記各サービスで複数のサービスコンポーネントを伝送する放送であって、前記ツリー状階層化は、複数の前記アンサンブルが上位階層に属し、複数の前記サービスが中位階層に属し、複数の前記サービスコンポーネントが下位階層に属する構造であり、前記表示階層指定手段が表示階層として下位階層を指定し且つ前記ラベル検出手段で受信中のサービスコンポーネントのラベルを検出できなかったときに、前記ラベル検出手段は、受信中のサービスコンポーネントが属する中位階層のサービス、又は上位階層のアンサンブルのラベルを検出し、該検出したラベルを前記表示手段で表示するようにしたディジタル放送受信装置である。
【００１８】
第３の発明は、第１又は第２の発明において、前記ディジタル放送はＤＡＢ放送であり、前記対応データは、ＤＡＢ信号の高速情報チャンネル（ＦＩＣ）で伝送される高速情報グループの情報のうち、タイプ１で拡張０の情報（ＦＩＧ  １／０）と、タイプ１で拡張１の情報（ＦＩＧ  １／１）と、タイプ１で拡張４の情報（ＦＩＧ  １／４）であるようにしたディジタル放送受信装置である。
【００１９】
ＤＡＢ放送では、サービス構造が階層化されていて、各階層ごとに、分類要素（例：アンサンブルやサービスやサービスコンポーネント）識別子とその分類要素に付されたラベルとを対応付けした対応データが、ＦＩＧ  １／０と、ＦＩＧ１／１と、ＦＩＧ  １／４で規定され、ディジタルオーディオデータに多重化して送信される。これらの情報はタイムインターリービングが施されてなく、その信号の抽出が容易である。
【００２０】
第４の発明は、第１乃至第３のいずれかの発明において、前記ラベル検出手段では前記表示階層指定手段で指定された表示階層に属する分類要素で且つ受信中の番組に係る前記分類要素が含まれる分類要素のラベルを検出し、検出できなかったときに、前記表示階層より上位の階層に属する分類要素のラベルを前記表示手段で表示するか否かを選択可能としたディジタル放送受信装置である。
【００２１】
本発明によれば、ユーザは必要に応じて、ユーザが指定した表示階層にある分類要素のラベルだけを表示手段で表示させることが出来る。
【００２２】
第５の発明は、多重化された複数の放送番組が、ツリー状に階層化した複数の分類要素を用いて分類されて放送されるディジタル放送であって、且つ放送中の番組に係る分類要素の分類要素識別子と該分類要素を示すラベルとの対応データが伝送されるディジタル放送を受信するディジタル放送受信装置のラベル表示方法において、受信中の番組に係る分類要素のラベルを表示する表示ステップと、該表示ステップでラベルを表示する際の表示階層を前記ツリー状階層化を構成する複数の階層から一つ指定する表示階層指定ステップと、受信信号から前記対応データを検出する対応データ検出ステップと、受信中の番組に係る分類要素のラベルを前記対応データから検出するラベル検出ステップとからなり、該ラベル検出ステップは、前記表示階層指定ステップで指定された表示階層に属する分類要素で且つ受信中の番組に係る前記分類要素が含まれる分類要素のラベルを検出し、検出できなかったときには、前記表示階層より上位の階層に属する分類要素で且つ受信中の番組に係る前記分類要素が含まれる分類要素のラベルを検出し、該検出したラベルを前記表示ステップで表示するようにしたディジタル放送受信装置のラベル表示方法である。
【００２３】
第６の発明は、第５の発明において、前記ディジタル放送は、アンサンブルごとに中心周波数が異なり、前記各アンサンブルで複数のサービスを伝送し、前記各サービスで複数のサービスコンポーネントを伝送する放送であって、前記ツリー状階層化は、複数の前記アンサンブルが上位階層に属し、複数の前記サービスが中位階層に属し、複数の前記サービスコンポーネントが下位階層に属する構造であり、前記表示階層指定ステップが表示階層として下位階層を指定し且つ前記ラベル検出ステップで受信中のサービスコンポーネントのラベルを下位階層で検出できなかったときに、前記ラベル検出ステップは受信中のサービスコンポーネントが属する中位階層のサービス、又は上位階層のアンサンブルのラベルを検出し、該検出したラベルを前記表示ステップで表示するようにしたディジタル放送受信装置のラベル表示方法である。
【００２４】
第７の発明は、第５又は第６の発明において、前記ディジタル放送はＤＡＢ放送であり、前記対応データは、ＤＡＢ信号の高速情報チャンネル（ＦＩＣ）で伝送される高速情報グループの情報のうち、タイプ１で拡張０の情報（ＦＩＧ  １／０）と、タイプ１で拡張１の情報（ＦＩＧ  １／１）と、タイプ１で拡張４の情報（ＦＩＧ  １／４）であるようにしたディジタル放送受信装置のラベル表示方法である。
【００２５】
第８の発明は、第５乃至第７のいずれかの発明において、前記ラベル検出ステップでは前記表示階層指定ステップで指定された表示階層に属する分類要素で且つ受信中の番組に係る前記分類要素が含まれる分類要素のラベルを検出し、検出できなかったときに、前記表示階層より上位の階層に属する分類要素のラベルを前記表示手段で表示するか否かを選択可能としたディジタル放送受信装置のラベル表示方法である。
【００２６】
【発明の実施の形態】
本発明は、受信信号の高速情報チャンネル（ＦＩＣ：Fast Information Channel）で伝送される分類要素とそのラベルとの対応データを抽出してメモリに格納しておき、ラベルを表示するときの表示階層を指定し、受信中の番組に係る分類要素のラベルを前記対応データから検出する際に、指定された表示階層に属する分類要素で且つ受信中の番組に係る分類要素が含まれる分類要素のラベルを検出し、検出できなかったときには、ツリー状に分類された分類要素のうち、前記表示階層より上位の階層に属する分類要素で且つ受信中の番組に係る前記分類要素が含まれる分類要素のラベルを検出し、該検出したラベルを表示手段で表示するものである。前記した「受信中の番組に係る分類要素」における「受信中の番組」とは、受信周波数に含まれる複数の番組を意味するのではなく、「ユーザにより選択され、出力中の一つの番組」を意味する。
【００２７】
以下、本発明の実施の形態について図面を参照して説明する。図２はＤＡＢ受信装置１０のシステム構成図である。ＤＡＢ受信装置１０は、本体１２、及び本体１２とは別体のＤＡＢコントロールマイコン２６等を装備する。本体１２において、ＤＡＢシステムマイコン１４は、メモリ１６を有し、複数のアンサンブル（各アンサンブルはＤＱＰＳＫ−ＯＦＤＭで変調されているラジオ放送電波で伝送され、１個のアンサンブルは、帯域幅は約１．５ＭＨｚであり、通常６個の放送番組が含まれている。）の中から１個のアンサンブルを指定して、指定情報をＲＦブロック１８へ送る。ＲＦブロック１８は、ＤＡＢシステムマイコン１４から指定のあったアンサンブルのＲＦ（Ｒａｄｉｏ Ｆｒｅｑｕｅｎｃｙ）信号を抽出し、中間周波数信号に変換して復調ブロック２０へ送る。復調ブロック２０では、ＲＦブロック１８からの中間周波数信号をＯＦＤＭ復調してＤＡＢ伝送フレームが得られる。チャネル復号ブロック２２では復調ブロック２０から送られたＤＡＢ伝送フレームからＦＩＣとＭＳＣとが分離され、選択された番組のＤＡＢオーディオフレームが得られ、オーディオ復号ブロック２４ではオーディオデータを復号する。ＦＩＣとＭＳＣについては後で図３を用いて詳述する。
【００２８】
こうして、ＤＡＢシステムマイコン１４からＲＦブロック１８へ指定された１アンサンブルの全デジタル信号がチャネル復号ブロック２２において得られる。チャネル復号ブロック２２において復号されたデジタル信号の内、ＭＳＣに含まれるオーディオデータはチャネル復号ブロック２２からオーディオ復号ブロック２４へ送られ、ＦＩＣに含まれるオーディオデータ以外のプログラムタイプ等のＦＩＧデータ（ＦＩＧについては後述）はチャネル復号ブロック２２からＤＡＢシステムマイコン１４へ送られる。
【００２９】
オーディオ復号ブロック２４は、チャネル復号ブロック２２から入力されるオーディオデータの内、ＤＡＢシステムマイコン１４から指示されるサブチャネルのオーディオデータを復号し、左右のスピーカから音響を出力する。ＤＡＢコントロールマイコン２６は、メモリ２８を備え、本体１２のＤＡＢシステムマイコン１４とデータのやり取りを行う。ＤＡＢコントロールマイコン２６は、ユーザがらの指示がキー３０を介して入力されるとともに、表示器３２へ必要なデータを与えて情報を表示させ、ユーザへ知らせるようになっている。
【００３０】
本発明のディジタル放送受信装置は、少なくとも受信中の番組に係る分類要素のラベルを表示する表示手段と、該表示手段でラベルを表示する際の表示階層を前記ツリー状階層化を構成する複数の階層から一つ指定する表示階層指定手段と、受信信号から前記対応データを検出する対応データ検出手段と、受信中の番組に係る分類要素のラベルを前記対応データから検出するラベル検出手段とを備えるが、前記表示手段は、例えば図２に示す表示器３２とＤＡＢコントロールマイコン２６とで構成され、前記表示階層指定手段はキー３０とＤＡＢコントロールマイコン２６とで構成され、前記対応データ検出手段はチャネル復号ブロック２２とＤＡＢシステムマイコン１４とで構成され、前記ラベル検出手段は、メモリ１６とＤＡＢコントロールマイコン２６とで構成される。
【００３１】
以下、図３〜図７において、伝送フレーム等、ＤＡＢの各種要素の通信プロトコルを適宜、説明しているが、詳細は、ヨーロッパテレコミュニケーション標準協会（Ｅｕｒｏｐｅａｎ Ｔｅｌｅｃｏｍｍｕｉｎｉｃａｔｉｏｎｓ Ｓｔａｎｄａｒｄｓ Ｉｎｓｔｉｕｔｅ）発行のヨーロッパテレコミュニケーション標準（Ｅｕｒｏｐｅａｎ Ｔｅｌｅｃｏｍｍｕｉｎｉｃａｔｉｏｎｓ Ｓｔａｎｄａｒｄ）を参照されたい。
【００３２】
図３はＤＡＢの送信フレームの構造を示す。送信フレーム（Ｔｒａｎｓｎｉｓｓｉｏｎ ｆｒａｍｅ）は前から順番に同期チャネル、ＦＩＣ（Ｆａｓｔ Ｉｎｆｏｒｍａｔｉｏｎ Ｃｈａｎｎｅｌ）、及びＭＳＣ（Ｍａｉｎ Ｓｅｒｖｉｃｅ Ｃｈａｎｎｅｌ）を有している。ＦＩＣはさらに複数個のＦＩＢ（ＦａｓｔＩｎｆｏｒｍａｔｉｏｎ Ｂｌｏｃｋ）から成り、ＭＳＣはさらに複数個のＣＩＦ（Ｃｏｍｍｏｎ Ｉｎｔｅｒｌｅａｖｅｄ Ｆｒａｍｅ）から成る。ＤＡＢシステムでは、モード１からモード３まで、仕様を決められており、モードごとに、送信フレームの時間（ｄｕｒａｔｉｏｎ）及び１送信フレーム内のＦＩＢ及びＣＩＦの個数が異なっている。例えばモード１では、１送信フレームの時間は９６ｍｓ、１送信フレーム内のＦＩＢ及びＣＩＦの個数はそれぞれ１２個及び４個である。
【００３３】
図４はＤＡＢのサービス構造を例示する図である。アンサンブルラベルがＤＡＢアンサンブル１（ＤＡＢ ＥＮＳＥＭＢＬＥ ＯＮＥ）であるアンサンブル（Ｅｎｓｅｍｂｌｅ）は、サービスラベルがアルファ１ラジオ（ＡＬＰＨＡ１ ＲＡＤＩＯ）、ベータラジオ（ＢＥＴＡ ＲＡＤＩＯ）、アルファ２ラジオ（ＡＬＰＨＡ２ ＲＡＤＩＯ）等の複数（例えば６個）のサービス（Ｓｅｒｖｉｃｅ）を含んでいる。ユーザは、選択されたサービスをＤＡＢ受信装置１０で受信することになる。
【００３４】
アルファ１ラジオは、主（ｐｒｉｍａｒｙ）のサービスコンポーネント（Ｓｅｒｖｉｃｅｃｏｍｐｏｎｅｎｔｓ）を１個、副（ｓｅｃｏｎｄａｒｙ）のサービスコンポーネントを２個、それぞれ有している。主のサービスコンポーネントはオーディオ（Ａｕｄｉｏ）であり、副のサービスコンポーネントは交通メッセージチャネル：ＴＭＣ（Ｔｒａｆｆｉｃ Ｍｅｓｓａｇｅ Ｃｈａｎｅｌ）とサービス情報：ＳＩ（Ｓｅｒｖｉｃｅ Ｉｎｆｏｒｍａｔｉｏｎ）である。オーディオ成分とＳＩはＭＳＣ内の別々のサブチャネル（ＳｕｂＣｈ）で伝送され、ＴＭＣはＦＩＣ内のＦＩＤＣ（Ｆａｓｔ Ｉｎｆｏｒｍａｔｉｏｎ Ｄａｔａ Ｃｈａｎｎｅｌ）で伝送される。
【００３５】
ベータラジオはサービスコンポーネントを２個もつ。オーディオと二次オーディオ（ｓｅｃｏｎｄａｒｙ ａｕｄｉｏ ｃｏｍｐｏｎｅｎｔ）であり、どちらもＭＳＣのサブチャネルで伝送される。
アルファ２ラジオは、アルファ１ラジオと同一のＴＭＣ及びＳＩをもち、スイッチの切替によってはオーディオもアルファ１ラジオと同じになることがある。このように、ＤＡＢのサービス構造は３つの階層で階層化されたツリー構造となっている。上位階層はＥｎｓｅｍｂｌｅの階層であり、中位階層はＳｅｒｖｉｃｅの階層であり、下位階層はＳｅｒｖｉｃｅ  ｃｏｍｐｏｎｅｎｔの階層である。本明細書では、上位階層の"ＤＡＢ  ＥＮＳＥＭＢＬＥ  ＯＮＥ"や、中位階層の"ＡＬＰＨＡ  １  ＲＡＤＩＯ"や、下位階層の"Ａｕｄｉｏ"などは、全てツリー状に分類された要素であるから、図４に示す各階層の要素を分類要素とも記す。図４に示す各分類要素の名称は、該分類要素に付されたラベルでもある。
【００３６】
図５はＤＡＢにおけるＦＩＢの構造図である。ＦＩＢは、全体で２５６ビットから成り、前部の３０バイトのＦＩＢデータ領域（ＦＩＢ ｄａｔａ ｆｉｅｌｄ）と後部の１６ビットのＣＲＣ（Ｃｙｃｌｉｃ Ｒｅｄｕｎｄａｎｃｙ Ｃｈｅｃｋ ｗｏｒｄ）から成る。ＦＩＢデータ領域は、さらに、前から順に複数個のＦＩＧ（Ｆａｓｔ Ｉｎｆｏｒｍａｔｉｏｎ Ｇｒｏｕｐ）、１個のエンドマーカ（Ｅｎｄｍａｒｋｅｒ）、及び１個のパッディング（ＦＩＢデータ領域をバイトに合わせるために残ったビットに０を入れること。）から成る。ＦＩＧの部分は有用データ領域（ｕｓｅｆｕｌ ｄａｔａ ｆｉｅｌｄ）を構成する。
各ＦＩＧは、前から順番にＦＩＧタイプ、Ｌｅｎｇｔｈ（長さ：後続のＦＩＧデータ領域のビット長さを表わす）、ＦＩＧデータ領域（ＦＩＧ ｄａｔａ ｆｉｅｌｄ）を備える。ＦＩＧタイプとＬｅｎｇｔｈはＦＩＧヘッダを構成する。
【００３７】
図６は図５のＦＩＧタイプが１（３ビット２進表示では００１）のＦＩＧデータ領域の構造図である。ＦＩＧデータ領域は、さらに、前から順番にＣｈａｒｓｅｔ（Ｃｈａｒａｃｔｅｒ  ｓｅｔ）、ＯＥ（Ｏｔｈｅｒ Ｅｎｓｅｍｂｌｅ）、Ｅｘｔｅｎｓｉｏｎ、タイプ１領域（Ｔｙｐｅ  １  ｆｉｅｌｄ）を備える。ここにＣｈａｒｓｅｔの４ビットコードは、ＦＩＧ  Ｔｙｐｅ  １に含まれる文字情報を限定するためにＣｈａｒｓｅｔを識別し、ＯＥは当該情報が当該アンサンブルについてのものか、他のアンサンブルについてのものかを識別し、Ｅｘｔｅｎｓｉｏｎは、Ｔｙｐｅ  １の中の拡張番号を示す。Ｔｙｐｅ  １  ｄａｔａｆｉｅｌｄには、後述するようにラベル情報などが含まれている。
【００３８】
例えば、Fig Type 1 field for extension 0 （以下ＦＩＧ  １／０のようにも記す）には、Ｅｎｓｅｍｂｌｅ（アンサンブル）を識別するEnsemble Id（ＥＩｄ）とそのラベル（アンサンブルラベル）を対応付けした対応データがあり、ＦＩＧ  １／１には、Ｓｅｒｖｉｃｅ（サービス）を識別するService Id（ＳＩｄ）とそのラベル（サービスラベル）を対応付けした対応データがあり、ＦＩＧ１／４には、Ｓｅｒｖｉｃｅ  ｃｏｍｐｏｎｅｎｔ（サービスコンポネント）を識別するService component Id（ＳＣＩｄＳ）とそのラベル（サービスコンポネントラベル）を対応付けした対応データがある。
【００３９】
図７は、ＦＩＧ  １／１（type 1 field for extension 1）のデータ構造を示す図である。図７に示すように、ＦＩＧ  １／１で特定されるデータ領域には、順番に、SId (Service Identifier)、Character field、Character flag field がある。ＳＩｄはサービスを特定する16ビットの サービス識別子であり、キャラクタフィールド（Character field）は16語のサービスラベル(1語は8ビット)を表示し、キャラクタフラグフィールド（Character flag field）は前記16語のサービスラベルを8語以内で短縮表記する場合の使用文字位置を示す16ビットのデータである。ＦＩＧ  １／０及びＦＩＧ  １／４のデータ構造も前記したＦＩＧ  １／１のデータ構造と同様である。
【００４０】
また、ＤＡＢ信号では現在放送が行われている各アンサンブルごとに、当該アンサンブルに属する全サービス及び全サービスコンポネントの一覧情報がＦＩＧ０／２で伝送される。そして、ユーザがＤＡＢ受信装置１０で選局を行ったときに、受信信号から前記ＦＩＧ  ０／２の情報が抽出され、該情報を参照して、選択されたサービスコンポーネントのＩｄとそのラベル、該サービスコンポーネントが属するサービスのＩｄとそのラベル、該サービスが属するアンサンブルのＩｄとそのラベルがＤＡＢ受信装置１０のメモリ１６に格納される。この部分は、後述する図１のフローチャートでは、図示が省略されている。
また、受信中の番組に係るラベルを表示させる際には、表示する階層がユーザによりキー３０を介して予め選択されてメモリ２８に記憶される。そして、前記選択された階層で該当するラベルが検出できなかったときにその上位階層のラベルの表示を許可するか否かの指定がユーザによりキー３０を介して予め行われるが、この点についても図１のフローチャートでは図示が省略されている。
【００４１】
図１は本発明におけるラベル表示処理のフローチャートを示す図である。図１において、ユーザはラベル表示を指示したときに、まずラベルをどの階層で表示するかを示す表示階層をキー３０から入力する。即ち受信中の番組に係るラベルを表示させるに際して、表示階層（表示モード）を上位階層であるアンサンブルの階層とするか、中位階層であるサービスの階層とするか、下位階層であるサービスコンポーネントの階層とするかを選択する。そして、ステップＳ１１では、表示モードはサービスコンポーネントラベルか？、と問われ、ユーザが表示階層としてサービスコンポーネントの階層を選択している場合はＹｅｓでステップＳ１３へ進み、ＮｏであればステップＳ２１へ進む。
【００４２】
ステップＳ１３では、サービスコンポーネントラベルが有るか？、と問われ、メモリ１６に格納されているＦＩＧ  １／４のデータから受信中のサービスコンポーネントのＩｄとそのラベルが検出できた場合はＹｅｓでステップＳ１５へ進み、ＮｏであればステップＳ１７へ進む。ステップＳ１５では、検出したサービスコンポーネントラベルを表示器３２で表示する。ステップＳ１７では、上位階層のラベル表示が許可されているか？、と問われ、ＹｅｓであればステップＳ２３へ進み、ＮｏであればステップＳ１９へ進む。ステップＳ１９では、該当するサービスコンポーネントラベルがないことを表示器３２で表示する。
【００４３】
ステップＳ２１では、表示モードはサービスラベルか？、と問われ、ユーザが表示階層としてサービスの階層を選択している場合はＹｅｓでステップＳ２３へ進み、ＮｏであればステップＳ３１へ進む。ステップＳ２３では、サービスラベルが有り？、と問われ、メモリ１６に格納されているＦＩＧ  １／１のデータから受信中のサービスＩＤとそのラベルが検出できた場合はＹｅｓでステップＳ２５へ進み、ＮｏであればステップＳ２７へ進む。ステップＳ２５では、検出したサービスラベルを表示器３２で表示する。ステップＳ２７では、上位階層のラベル表示が許可されているか？、と問われ、ＹｅｓであればステップＳ３１へ進み、ＮｏであればステップＳ２９へ進む。ステップＳ２９では、該当するサービスラベルがないことを表示器３２で表示する。
【００４４】
ステップＳ３１では、アンサンブルラベルが有り？、と問われ、メモリ１６に格納されているＦＩＧ  １／０のデータから受信中のアンサンブルＩＤとそのラベルが検出できた場合はＹｅｓでステップＳ３３へ進み、ＮｏであればステップＳ３５へ進む。ステップＳ３３では、検出したアンサンブルラベルを表示器３２で表示する。ステップＳ３５では、上位階層のラベル表示が許可されているか？、と問われ、ＹｅｓであればステップＳ３９へ進み、ＮｏであればステップＳ３７へ進む。ステップＳ３７では、該当するアンサンブルラベルがないことを表示器３２で表示し、ステップＳ３９では、現在の受信周波数を表示する。ステップＳ１５、ステップＳ１９、ステップＳ２５、ステップＳ２９、ステップＳ３３、ステップＳ３７、ステップＳ３９の後は、このラベル表示処理を終了する。
【００４５】
以上詳述した如く、本発明は、分類要素とそのラベルとの対応データを受信信号から抽出してメモリに格納し、ラベルを表示する表示階層を指定しておいて、受信中の番組に係る分類要素のラベルを前記対応データから検出する際には、まず指定された表示階層に属する分類要素で且つ受信中の番組に係る分類要素が含まれる分類要素のラベルを検出し、この検出において検出できなかったときには、ツリー状に分類された分類要素のうち、前記表示階層より上位の階層に属する分類要素で且つ受信中の番組に係る前記分類要素が含まれる分類要素のラベルを検出し、該検出したラベルを表示手段で表示するものである。従って本発明によれば、表示対象のラベルの情報が放送で送信されていない場合にも、受信中の番組に係る上位階層のラベルを表示して、受信中の番組が属している上位階層の分類要素名をユーザが認識できるようになる。
なお、本発明が適用可能なディジタル放送受信装置はＤＡＢ受信装置に限らず、多数の番組の信号が多重化されて同時に送信されるディジタル放送のサービス構造が、ツリー状に階層化された構造を有するディジタル放送の受信装置に広く適用することが可能である。
【図面の簡単な説明】
【図１】本発明におけるラベル表示処理のフローチャートを示す図である。
【図２】ＤＡＢ受信装置のシステム構成図である。
【図３】ＤＡＢの送信フレームの構造を示す図である。
【図４】ＤＡＢのサービス構造を例示する図である。
【図５】ＤＡＢにおけるＦＩＢの構造図である。
【図６】図５のＦＩＧタイプが１のＦＩＧデータ領域の構造図である。
【図７】ＦＩＧ  １／１（type 1 field for extension 1）のデータ構造を示す図である。
【図８】従来例におけるラベル表示処理のフローチャートを示す図である。
【符号の説明】
１０  ＤＡＢ受信装置（ディジタル放送受信装置）
１２  ＤＡＢ受信装置の本体
１４  ＤＡＢシステムマイコン
１６  メモリ
１８  ＲＦブロック
２０  復調ブロック
２２  チャネル復号ブロック
２４  オーディオ復号ブロック
２６  ＤＡＢコントロールマイコン
２８  メモリ
３０  キー
３２  表示器
【図１】
0003830074.tif 000002
【図２】
0003830074.tif 000003
【図３】
0003830074.tif 000004
【図４】
0003830074.tif 000005
【図５】
0003830074.tif 000006
【図６】
0003830074.tif 000007
【図７】
0003830074.tif 000008
【図８】
0003830074.tif 000009